(57)【要約】【目的】  多値データを記録する多値光記録媒体に対して有効なＯＰＣを行えるようにする。【構成】  ＯＰＣ制御部１１は、多値データ記録媒体１２の記録領域への多値データの本記録に先立って、上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録し、そのテストパターンを再生し、その再生で得られた再生信号に基づいて、上記多値レベルｍｉとそのｍｉレベルの反射率の関係の一次近似式と、その一次近似式の決定係数値とを求め、その求めた決定係数値が予め多値データ記録媒体１２に記録された値以上になるように記録パワー、及び／又は記録ストラテジを最適化し、その最適化された記録パワー、及び／又は記録ストラテジを用いて上記多値データの本記録を行う。【選択図】        図１
2005339765.tif 000002
【特許請求の範囲】
【請求項１】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生方法において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録し、そのテストパターンを再生し、その再生で得られた再生信号に基づいて、前記多値レベルｍｉとそのｍｉレベルの反射率の関係の一次近似式と、該一次近似式の決定係数値とを求め、その求めた決定係数値が予め前記多値光記録媒体に記録された値以上になるように記録パワー、及び／又は記録ストラテジを最適化し、該最適化された記録パワー、及び／又は記録ストラテジを用いて前記多値データの本記録を行うことを特徴とする多値データ記録再生方法。
【請求項２】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生方法において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録し、そのテストパターンを再生し、その再生で得られた再生信号に基づいて、前記多値レベルｍｉとそのｍｉレベルの反射率の関係の一次近似式と、該一次近似式の決定係数値とを求め、前記多値光記録媒体の種別を判別し、前記求めた決定係数値が前記判別した種別に対応して予め保有している値以上になるように記録パワー、及び／又は記録ストラテジを最適化し、該最適化された記録パワー、及び／又は記録ストラテジを用いて前記多値データの本記録を行うことを特徴とする多値データ記録再生方法。
【請求項３】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生方法において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを、記録パワー又は記録ストラテジを段階的に変化させて記録し、前記段階的に記録パワー又は記録ストラテジが変えられた記録ブロック毎から得られる再生信号に対して、各多値レベルｍｉ（ｉ＝０〜α）の平均値を求め、前記段階的に記録パワー又は記録ストラテジが変えられた記録ブロック毎に、多値レベルｍｉとそのｍｉレベルの平均値の関係の一次近似式と、該一次近似式の決定係数値とを求め、その求めた決定係数値が極大値になる記録パワー又は記録ストラテジを算出し、その算出した記録パワー又は記録ストラテジを本記録時の最適記録パワー又は最適記録ストラテジとして設定することを特徴とする多値データ記録再生方法。
【請求項４】
前記記録パワー、及び／又は記録ストラテジの最適化は、前記求めた決定係数値が予め前記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、予め前記多値光記録媒体に記録された値以上になるように記録パワー、及び／又は記録ストラテジを最適化することであることを特徴とする請求項１記載の多値データ記録再生方法。
【請求項５】
前記記録パワー、及び／又は記録ストラテジの最適化は、前記求めた決定係数値が予め前記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、前記予め保有している値以上になるように記録パワー、及び／又は記録ストラテジを最適化することであることを特徴とする請求項２記載の多値データ記録再生方法。
【請求項６】
前記決定係数値が０．９９５以上の値であることを特徴とする請求項１乃至５のいずれか一項に記載の多値データ記録再生方法。
【請求項７】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生装置において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録する手段と、該手段によって記録したテストパターンを再生する手段と、該手段の再生で得られた再生信号に基づいて、前記多値レベルｍｉとそのｍｉレベルの反射率の関係の一次近似式を求める手段と、該手段によって求めた一次近似式の決定係数値を求める手段と、該手段によって求めた決定係数値が予め前記多値光記録媒体に記録された値以上になるように記録パワー、及び／又は記録ストラテジを最適化する最適化手段と、該最適化手段によって最適化された記録パワー、及び／又は記録ストラテジを用いて前記多値データの本記録を行う手段とを設けたことを特徴とする多値データ記録再生装置。
【請求項８】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生装置において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録する手段と、該手段によって記録したテストパターンを再生する手段と、該手段の再生で得られた再生信号に基づいて、前記多値レベルｍｉとそのｍｉレベルの反射率の関係の一次近似式を求める手段と、該手段によって求めた一次近似式の決定係数値を求める手段と、前記多値光記録媒体の種別を判別する手段と、前記求めた決定係数値が前記判別した種別に対応して予め保有している値以上になるように記録パワー、及び／又は記録ストラテジを最適化する最適化手段と、該最適化手段によって最適化された記録パワー、及び／又は記録ストラテジを用いて前記多値データの本記録を行う手段とを設けたことを特徴とする多値データ記録再生装置。
【請求項９】
記録マークの記録単位を一定周期とし、レーザ光の照射によって、多値光記録媒体の記録領域に対して前記記録単位内の記録マークの大きさ、及び／又は深さをα種類（αは３以上の整数）に変化させて多値データを記録し、前記記録マークの大きさ、及び／又は深さの違いによる互いに異なるα種類（αは３以上の整数）の反射レベルを検出して多値データを再生する多値データ記録再生装置において、
前記記録領域への前記多値データの本記録に先立って、テスト記録領域又は前記記録領域に同一の多値レベルｍｉ（ｉ＝０〜α）を複数の連続する記録単位にわたって記録するパターンとして、α種の全ての多値レベルｍｉについて記録するパターンから構成されるテストパターンを、記録パワー又は記録ストラテジを段階的に変化させて記録する手段と、前記段階的に記録パワー又は記録ストラテジが変えられた記録ブロック毎から得られる再生信号に対して、各多値レベルｍｉ（ｉ＝０〜α）の平均値を求める手段と、前記段階的に記録パワー又は記録ストラテジが変えられた記録ブロック毎に、多値レベルｍｉとそのｍｉレベルの平均値の関係の一次近似式と、該一次近似式の決定係数値とを求める手段と、その求めた決定係数値が極大値になる記録パワー又は記録ストラテジを算出し、その算出した記録パワー又は記録ストラテジを本記録時の最適記録パワー又は最適記録ストラテジとして設定する手段とを設けたことを特徴とする多値データ記録再生装置。
【請求項１０】
前記最適化手段は、前記求めた決定係数値が予め前記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、予め前記多値光記録媒体に記録された値以上になるように記録パワー、及び／又は記録ストラテジを最適化する手段であることを特徴とする請求項７記載の多値データ記録再生装置。
【請求項１１】
前最適化手段は、前記求めた決定係数値が予め前記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、前記予め保有している値以上になるように記録パワー、及び／又は記録ストラテジを最適化する手段であることを特徴とする請求項８記載の多値データ記録再生装置。
【請求項１２】
前記決定係数値が０．９９５以上の値であることを特徴とする請求項７乃至１１のいずれか一項に記載の多値データ記録再生装置。
【発明の詳細な説明】
【技術分野】
【０００１】
本技術は、ＣＤ，ＤＶＤ等の従来の光ディスク（光記録媒体）、または多値記録専用の光記録媒体にレーザ光を照射して多値データを記録及び再生する多値データ記録再生方法とその多値データ記録再生装置に関する。
【背景技術】
【０００２】
近年、記録容量の増大を目的に多値データ記録技術が開発されている。最近はホームユーザーでも普通に容量の大きいオーディオデータや画像／動画データを扱うようになり、また一方、ハードディスクも大容量化が進み、ＣＤやＤＶＤ系の光記録媒体では記録容量が足りなくなってきている。
そんな中で、従来型の光記録媒体の容量を高める記録方式として、「多値データ記録技術（Ｍｕｌｔｉ  Ｌｅｖｅｌ  Ｔｅｃｈｎｏｌｏｇｙ）」が、米国のベンチャー企業カリメトリクス社（Ｃａｌｉｍｅｔｒｉｃｓ，Ｉｎｃ．（登録商標））から提案されている。
この多値データ記録技術は、簡単に言えば、記録線密度を向上させるものである。
従来のＣＤやＤＶＤ系の光記録媒体では、記録するデータ列に応じて各記録マーク端部の位置や長さを変えて記録し、再生時に記録マークの長さを判定している（「スライス方式」という）。
【０００３】
次に、現行のスライス方式について簡単に説明する。
図８は、従来のスライス方式によるデータ復号の処理の説明に供する波形図である。
まず、記録すべき情報である記録データ（同図の（ａ）に示す）に対応した記録波形（同図の（ｂ）に示す）を用いて、光記録媒体に記録マーク列（同図の（ｃ）に示す）を形成させる。
その光記録媒体に記録された記録マーク列（同図の（ｃ）に示す）に再生光を照射して情報を再生すると、同図の（ｄ）に示すような再生信号波形が得られる。その再生信号波形は、同図の（ｂ）に示した記録波形のような矩形波とはならずに鈍った波形になるため、再生信号波形を等化器で整形する（具体的には再生信号の高周波成分が増幅される）。
次いで、この等化波形（同図の（ｅ）に示す）と閾値との交点を検出し、ウインドウ内で交点が検出されれば「１」、交点が検出されなければ「０」として二値データを出力する（同図の（ｆ）に示す）。
そして、この交点検出に得られた二値データ（同図の（ｆ）に示す）をＮＲＺ変換することによって、同図の（ｇ）に示すような復号データを得ている。
【０００４】
これに対して、光記録媒体（多値データを記録する光記録媒体を「多値光記録媒体」という）に対する多値データ記録では、多値光記録媒体の記録マークの記録単位（基本セル）内に記録するマークの反射率の多値化で情報を表現する。
図９は、多値データ記録における記録マークの概念図である。
従来のＣＤやＤＶＤ系の光記録媒体では、記録マークの有無で１ビットを表現しているが、多値光記録媒体に対する多値データ記録では、記録マークの大きさを、例えば８種類に変えて記録し（同図の（ｂ）に示す）、その大きさの異なる８種類の記録マークにレーザ光を照射したときに得られる反射光の信号レベル（反射レベル）はそれぞれ異なり（すなわち、大きさの異なる８種類の記録マークを再生したときに得られる再生信号のレベルはそれぞれ異なる）、その８つのレベルの異なる反射レベルとして読み出す（同図の（ａ）に示す）。
【０００５】
したがって、多値データ記録では１つの記録マークで３ビット分の情報を表わすことができるため、光記録媒体の記録領域の記録密度を高めることができる。
この多値データ記録では、通常、再生時のレーザ光のビームスポット径は、基本セル長よりも大きい。これによって、１つの記録マークで３ビット分の信号を表現することができるため、トラックピッチを詰めることなく、記録線密度を上げて記録容量を増加させることができる。
【０００６】
ところで、光ディスクのような光記録媒体に情報を記録する場合、実際の信号を記録する前に試し書きを行い、その試し書き部分の信号品質を調べて、記録するレーザ光の強度の最適値を得るというキャリブレーションという動作が行われるのが一般的である。
ＣＤ系やＤＶＤ系の記録可能な光記録媒体では、この試し書きを行う領域をディスク最内周に設け、これをパワーキャリブレーション領域（Ｐｏｗｅｒ  Ｃａｌｉｂｒａｔｉｏｎ  Ａｒｅａ：ＰＣＡ）と呼び、上記の一連の動作をオプティマムパワーコントロール（Ｏｐｔｉｍｕｍ  Ｐｏｗｅｒ  Ｃｏｎｔｒｏｌ：ＯＰＣ）と呼んでいる。
【０００７】
一例としてＯＰＣは以下のように行われる。
まず、ＰＣＡにレーザ光強度を数段階、あるいは連続的に変化させてテスト信号を記録する。次に、その記録部分を再生して、その再生信号（ＨＦ信号）の品質から最適に記録が行われた部分の位置を求め、その位置にテスト信号を記録したレーザ光強度をレーザ光強度の最適値とする。ＨＦ信号の品質チェックは、ＨＦ信号の対称性（アシンメトリ）を検出して行われる。
【０００８】
図１０は、従来の各種記録パワーで記録されたテスト用信号を再生してアシンメトリと最適記録パワーを求めるための回路構成を示すブロック図である。
光ディスクには、予めテスト記録信号が記録パワーを順次変化させて記録されている。
このテスト用記録信号の記録部分に再生光を照射し、その反射光を検出する。
この受光信号として得られるＨＦ信号は、ハイパスフィルタ２０で直流分がカットされる。トップピーク検出回路２１は記録パワー毎にＨＦ信号のトップピーク（＋側のピーク）Ａｔを、ボトムピーク検出回路２２は記録パワー毎にＨＦ信号のボトムピーク（−側のピーク）Ａｂをそれぞれアナログ処理によって検出する。
【０００９】
アシンメトリ演算回路２３は、演算式β＝（Ａｔ＋Ａｂ）／（Ａｔ−Ａｂ）に基づく演算処理によって記録パワー毎のアシンメトリβを演算して求める。
図１１は上記ＡｔとＡｂの一例を示す波形図である。但し、ＡｔとＡｂは符号を含めた値である。
判定回路２４は、アシンメトリ演算回路２３によって求められたアシンメトリβの中から、最適とされるアシンメトリに最も近いアシンメトリが得られる記録パワーを選び出し、その選び出した記録パワーを最適記録パワーとして決定する。
その決定された最適記録パワーを用いて多値データ光記録媒体に実記録を行うことにより、良好な再生信号品質を得ることができる。
【００１０】
従来、上述のような多値データ光記録媒体における多値データ記録可能な追記型光記録媒体に関しては、次のような公知技術があった。
（１）有機色素記録層に記録パワーを５段階以上に換えてマルチレベル記録を行う光記録媒体があった（例えば、特許文献１参照）。
（２）色素を主成分とする記録層にレーザビームの照射時間を５段階以上に変調し、面積比に基づく光反射率を変調してマルチレベル記録を行う光記録媒体（例えば、特許文献２参照）。
（３）色素を主成分とする記録層にレーザビームの照射時間，照射パワーの少なくとも一方を５段階以上に変調し、面積比に基づく光反射率が５段階以上になるマルチレベル記録を行う光記録媒体（例えば、特許文献３参照）。
【００１１】
（４）フタロシアニンからなる記録層にレーザビームの照射時間，照射パワーの少なくとも一方を５段階以上に変調し、面積比に基づく光反射率が５段階以上になるマルチレベル記録を行う光記録媒体（例えば、特許文献４参照）。
（５）記録層にレーザビームの照射時間，照射パワーの少なくとも一方を５段階以上に変調し、面積比に基づく光反射率が５段階以上になるマルチレベル記録を行う光記録媒体（例えば、特許文献５参照）。
（６）記録層にレーザビームの照射時間，照射パワーの少なくとも一方を５段階以上に変調し、面積比に基づく光反射率が５段階以上になるマルチレベル記録を行う光記録媒体（例えば、特許文献６参照）。
（７）有機色素で構成される記録層を備えた光記録媒体（例えば、特許文献７参照）。
【００１２】
また、従来、多値データ光記録媒体に対する多値データ記録における最適記録パワー，記録ストラテジを決定する光記録方法に関して、次のような公知技術があった。
（８）レーザ光の最長許容照射時間と、最短許容照射時間をフォーマット信号中に入れる光記録方法（例えば、特許文献８参照）。
（９）最適記録パワーをフォーマット信号中（ウォブル，プレピット，ランドプレピット）に予め入れておく光記録方法（例えば、特許文献９参照）。
（１０）本記録に先立って出射パワーと出射時間を他段階に切替えて記録し、その光反射レベル測定を行うことで出射パワーと出射時間の組合わせを規定する光記録方法（例えば、特許文献１０参照）。
【特許文献１】特開２００１−１８４６４７号公報
【特許文献２】特開２００２−２５１１４号公報
【特許文献３】特開２００２−８３４４５号公報
【特許文献４】特開２００２−３３４４３８号公報
【特許文献５】特開２００２−３５２４２８号公報
【特許文献６】特開２００２−３５２４２９号公報
【特許文献７】特開２００２−３６７１８２号公報
【特許文献８】特開２００３−１５１１３７号公報
【特許文献９】特開２００３−１４１７２５号公報
【特許文献１０】特開２００３−１３２５３６号公報
【発明の開示】
【発明が解決しようとする課題】
【００１３】
しかしながら、従来の光記録媒体と光記録方法では、多値データを記録する際の有効なＯＰＣが行えないという問題があった。
多値光記録媒体では、従来の二値記録よりも記録線密度が格段に高まっているため、多値光記録媒体用に有効なＯＰＣは必須である。
この発明は上記の点に鑑みてなされたものであり、多値データを記録する多値光記録媒体に対して有効なＯＰＣを行えるようにすることを目的とする。
【課題を解決するための手段】
【００１４】
この発明は上記の目的を達成するため、次の（１）〜（６）の多値データ記録再生方法と（７）〜（１２）の多値データ記録再生装置を提供する。
（１）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生方法において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録し、そのテストパターンを再生し、その再生で得られた再生信号に基づいて、上記多値レベルｍｉとそのｍｉレベルの反射率の関係の一次近似式と、その一次近似式の決定係数値とを求め、その求めた決定係数値が予め上記多値光記録媒体に記録された値以上になるように記録パワー、及び／又は記録ストラテジを最適化し、その最適化された記録パワー、及び／又は記録ストラテジを用いて上記多値データの本記録を行う多値データ記録再生方法。
【００１５】
（２）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生方法において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録し、そのテストパターンを再生し、その再生で得られた再生信号に基づいて、上記多値レベルｍｉとそのｍｉレベルの反射率の関係の一次近似式と、その一次近似式の決定係数値とを求め、上記多値光記録媒体の種別を判別し、上記求めた決定係数値が上記判別した種別に対応して予め保有している値以上になるように記録パワー、及び／又は記録ストラテジを最適化し、その最適化された記録パワー、及び／又は記録ストラテジを用いて上記多値データの本記録を行う多値データ記録再生方法。
【００１６】
（３）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生方法において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを、記録パワー又は記録ストラテジを段階的に変化させて記録し、上記段階的に記録パワー又は記録ストラテジが変えられた記録ブロック毎から得られる再生信号に対して、各多値レベルｍｉ（ｉ＝０〜α）の平均値を求め、上記段階的に記録パワー又は記録ストラテジが変えられた記録ブロック毎に、多値レベルｍｉとそのｍｉレベルの平均値の関係の一次近似式と、その一次近似式の決定係数値とを求め、その求めた決定係数値が極大値になる記録パワー又は記録ストラテジを算出し、その算出した記録パワー又は記録ストラテジを本記録時の最適記録パワー又は最適記録ストラテジとして設定する多値データ記録再生方法。
【００１７】
（４）上記（１）の多値データ記録再生方法において、上記記録パワー、及び／又は記録ストラテジの最適化を、上記求めた決定係数値が予め上記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、予め上記多値光記録媒体に記録された値以上になるように記録パワー、及び／又は記録ストラテジを最適化することにした多値データ記録再生方法。
（５）上記（２）の多値データ記録再生方法において、上記記録パワー、及び／又は記録ストラテジの最適化を、上記求めた決定係数値が予め上記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、上記予め保有している値以上になるように記録パワー、及び／又は記録ストラテジを最適化することにした多値データ記録再生方法。
（６）上記（１）〜（５）のいずれかの多値データ記録再生方法において、上記決定係数値を０．９９５以上の値にした多値データ記録再生方法。
【００１８】
（７）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生装置において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録する手段と、その手段によって記録したテストパターンを再生する手段と、その手段の再生で得られた再生信号に基づいて、上記多値レベルｍｉとそのｍｉレベルの反射率の関係の一次近似式を求める手段と、その手段によって求めた一次近似式の決定係数値を求める手段と、その手段によって求めた決定係数値が予め上記多値光記録媒体に記録された値以上になるように記録パワー、及び／又は記録ストラテジを最適化する最適化手段と、その最適化手段によって最適化された記録パワー、及び／又は記録ストラテジを用いて上記多値データの本記録を行う手段を設けた多値データ記録再生装置。
【００１９】
（８）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生装置において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを記録する手段と、その手段によって記録したテストパターンを再生する手段と、その手段の再生で得られた再生信号に基づいて、上記多値レベルｍｉとそのｍｉレベルの反射率の関係の一次近似式を求める手段と、その手段によって求めた一次近似式の決定係数値を求める手段と、上記多値光記録媒体の種別を判別する手段と、上記求めた決定係数値が上記判別した種別に対応して予め保有している値以上になるように記録パワー、及び／又は記録ストラテジを最適化する最適化手段と、その最適化手段によって最適化された記録パワー、及び／又は記録ストラテジを用いて上記多値データの本記録を行う手段を設けた多値データ記録再生装置。
【００２０】
（９）記録マークの記録単位を一定周期とし、レーザ光の照射によって、多値光記録媒体の記録領域に対して上記記録単位内の記録マークの大きさ、及び／又は深さをα種類（αは３以上の整数）に変化させて多値データを記録し、上記記録マークの大きさ、及び／又は深さの違いによる互いに異なるα種類（αは３以上の整数）の反射レベルを検出して多値データを再生する多値データ記録再生装置において、上記記録領域への上記多値データの本記録に先立って、テスト記録領域又は上記記録領域に同一の多値レベルｍｉ（ｉ＝０〜α）を複数の連続する記録単位にわたって記録するパターンとして、α種の全ての多値レベルｍｉについて記録するパターンから構成されるテストパターンを、記録パワー又は記録ストラテジを段階的に変化させて記録する手段と、上記段階的に記録パワー又は記録ストラテジが変えられた記録ブロック毎から得られる再生信号に対して、各多値レベルｍｉ（ｉ＝０〜α）の平均値を求める手段と、上記段階的に記録パワー又は記録ストラテジが変えられた記録ブロック毎に、多値レベルｍｉとそのｍｉレベルの平均値の関係の一次近似式と、その一次近似式の決定係数値とを求める手段と、その求めた決定係数値が極大値になる記録パワー又は記録ストラテジを算出し、その算出した記録パワー又は記録ストラテジを本記録時の最適記録パワー又は最適記録ストラテジとして設定する手段を設けた多値データ記録再生装置。
【００２１】
（１０）上記（７）の多値データ記録再生装置において、上記最適化手段を、上記求めた決定係数値が予め上記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、予め上記多値光記録媒体に記録された値以上になるように記録パワー、及び／又は記録ストラテジを最適化する手段にした多値データ記録再生装置。
（１１）上記（８）の多値データ記録再生装置において、上最適化手段を、上記求めた決定係数値が予め上記多値光記録媒体に記録された値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値が、上記予め保有している値以上になるように記録パワー、及び／又は記録ストラテジを最適化する手段にした多値データ記録再生装置。
（１２）上記（７）〜（１１）のいずれかの多値データ記録再生装置において、上記決定係数値を０．９９５以上の値にした多値データ記録再生装置。
【発明の効果】
【００２２】
この発明による多値データ記録再生方法と多値データ記録再生装置は、多値データを記録する多値光記録媒体に対して有効なＯＰＣを行えるようにすることができる。
【発明を実施するための最良の形態】
【００２３】
以下、この発明を実施するための最良の形態を図面に基づいて具体的に説明する。
この発明を実施するための最良の形態（以下「実施例」という）では、記録パワーを記録ストラテジから独立させて説明する。すなわち、この発明及び実施例の記録ストラテジは記録パワーを含まない。（一般的に、光記録媒体に記録を行う際の、記録光のパルス形状、パルス幅、各パルスに割り当てられる記録パワー等を全て含めて「記録ストラテジ」と呼ばれている。）
【００２４】
この実施例では、多値データ記録においても容易なＯＰＣを実現するため、符号間干渉を固定した状態で各多値レベルｍｉを記録し、その反射レベルをもとに、記録パワー、及び／又は記録ストラテジを最適化する。なお、符号間干渉を固定した状態とは、ある任意の多値レベルｍｉから得られる反射レベルが、前後の多値レベルｍｉから受ける影響が固定された状態を意味し、完全なランダムパターンでなく規則性を持ったパターンを意味する。
つまり、任意の多値レベルｍｉから得られる反射レベルは、前後の多値レベルｍｉの影響を受けて、いろいろな値をとるが、本実施例では最適な記録パワー、及び／又は記録ストラテジを決定するために、任意の多値レベルｍｉから得られる反射レベルを１つに固定する。また、任意の多値レベルｍｉから得られる反射レベルを１つに固定する方法として、本実施例では、同一の多値レベルｍｉ（ｉ＝０〜α）を複数の連続する記録単位にわたって記録するパターンを採用する。
【００２５】
〔実施例〕
図１は、この発明の実施例の多値データ記録再生装置の構成を示すブロック図である。
この多値データ記録再生装置は、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等の市販の光記録媒体、又は多値記録専用の光記録媒体１２に対して多値データの記録及び再生を行うための光記録再生装置（光ディスクドライブ）であり、ピックアップヘッド１，ＬＤ駆動信号生成器２，多値データ変換器３，情報データ生成器４，フォトディテクタ５，ＡＧＣ制御部６，同期信号部検出回路７，サンプリング信号生成回路８，量子化ＡＤ変換器９，多値信号メモリ１０と、本発明の多値データ記録再生方法に係るＯＰＣ処理を行うため、ＯＰＣ制御部１１を備えている。
【００２６】
まず始めに、この多値データ記録再生装置の一般的な記録再生動作について説明する。
多値データ記録媒体１２の記録領域に対して上記記録単位内の記録マークの大きさ、及び／又は深さをα種類（αは３以上の整数）に変化させて多値データを記録する場合、情報データ生成器４で多値データ記録媒体１２に記録するデジタルデータを生成し、多値データ変換器３でその多値データを、例えば８値に変換する。以下、多値データが８値データの場合について説明する。
【００２７】
例えば、デジタルデータが（００１１０１０１０）の時、（００１）（１０１）（０１０）の３ビット単位で８値データの（１５２）に変換する。
その８値データに基いてＬＤ駆動信号生成器２で記録するための記録パルスパターンを生成し（このＬＤ駆動信号生成器２では、記録パルス幅の制御や記録パワーの制御も行われる）、ピックアップヘッド１に搭載された半導体レーザ光源（ＬＤ）を駆動し、記録マークの記録単位を一定周期とし、ピックアップヘッド１でＬＤから発生させたレーザ光Ｌを回転する多値データ記録媒体１２上に集光して照射して８値データの記録マークを記録する。
多値データ記録媒体１２としては、色素等を用いたライトワンス型の光記録媒体でも、相変化材料等を用いた書換え型の光記録媒体でも良い。
【００２８】
多値データ記録媒体１２の記録データフォーマットは、例えば、学習セクタ，データセクタ１〜Ｎのようにセクタと呼ばれる単位ブロックで構成されており、１セクタは、セクタマーク，同期信号領域，アドレス領域，多値データ領域で構成される。
セクタマークはセクタの開始を示し、データ領域に出現しないパターン、例えば（００００００００７７７７７７）で構成されている。
同期信号領域は、多値データを量子化する際にサンプリングクロックとして利用される信号であり、例えば（０７０７０７０７０７０７０７０７・・・）の繰り返しパターンを用いる。アドレス領域は、セクタが何番目か示す情報であり、多値データとして記録されている。
【００２９】
多値データ記録媒体１２に記録された記録マークの大きさ、及び／又は深さの違いによる互いに異なるα種類（αは３以上の整数）の多値データを再生する場合、回転する多値データ記録媒体１２にレーザ光を集光して照射し、その照射したレーザ光の反射した戻り光をフォトディテクタ５で光電変換して電気信号の再生信号に変換する。
ＡＧＣ制御部６は、その再生信号からセクタマークを検出し、α種類（αは３以上の整数）の反射レベルを検出する。例えば、そのセクタマークの最大信号値（００００００００）と最小信号値（７７７７７７７７）を検出し、その振幅（上記最大信号値と上記最小信号値の差）が一定となるように自動利得制御（Ａｕｔｏ  Ｇａｉｎ  Ｃｏｎｔｒｏｌ：ＡＧＣ）する。そのＡＧＣは、多値データ記録媒体１２に起因する反射率変動で多値判定が誤るのを防ぐために再生信号を補正するものである。
【００３０】
次に、その再生信号を量子化するために、例えば、図９に示した基本セルと呼ばれる記録単位の中心で再生信号をサンプルホールドして量子化するために、同期信号部検出回路７で同期信号領域を検出し、その同期信号に基いてサンプリング信号生成回路８でタイミング信号を生成する。
さらに、量子化ＡＤ変換器９がそのタイミング信号で多値信号を量子化（ＡＤ変換＝アナログデジタル変換）し、多値信号メモリ１０に順次記録する。そして、その多値信号メモリ１０に記録された信号を順次読み出し、量子化された再生信号として、波形等化や多値判定として利用する。
【００３１】
次に、この多値データ記録再生装置における本発明の多値データ記録再生方法に係るＯＰＣ処理について説明する。
ＯＰＣ制御部１１では、記録領域への多値データの本記録に先立って、まず、多値データ記録媒体１２のテスト記録領域又は記録領域に同一の多値レベルｍｉ（ｉ＝０〜α）を複数の連続する記録単位にわたって記録するパターンとして、α種（αは３以上の整数）の全ての多値レベルｍｉについて記録するパターンから構成されるテストパターン（ＯＰＣパターン）を発生させるように情報データ生成器４を制御する。
【００３２】
更にＯＰＣ制御部１１は、ＬＤ駆動信号生成器２を制御し、このテストパターンを適当な記録ストラテジと、記録パワーで多値データ記録媒体１２に記録する。
このテストパターンは上述の再生処理によって再生され、その再生で得られた再生信号のデータは、多値信号メモリ１０を介してＯＰＣ制御部１１にフィードバックされる。
ＯＰＣ制御部１１は、そのフィードバックされた再生信号のデータ（反射率）に基づいて、多値レベルｍｉとそのｍｉレベルの反射率（フィードバックされた再生信号データ）の関係の一次近似式を求め、その求めた一次近似式の決定係数値（Ｒ２乗値）を求める。
【００３３】
更に、ＯＰＣ制御部１１では、その求めた決定係数値が、例えば予め多値データ記録媒体１２に記録された値以上であるか否かを判断し、あるいは、この多値データ記録再生装置が多値データ記録媒体１２の種別を判別し、その種別に対応した予め多値データ記録再生装置が保有する値以上であるか否かを判断し、決定係数値が上記値以上でないと判断したら、ＬＤ駆動信号生成器２で記録ストラテジや記録パワーを調整し、再度上述のようにしてテストパターンを記録し、再生する。
ＯＰＣ制御部１１は、上述の動作を繰り返し、決定係数値が、例えば、予め多値データ記録媒体１２に記録された値以上となるように、あるいは、この多値データ記録再生装置が多値データ記録媒体１２の種別を判別し、その種別に対応して予め多値データ記録再生装置が保有する値以上になるように記録パワー、及び／又は記録ストラテジを最適化し、その最適化された記録パワー、及び／又は記録ストラテジを用いて上記多値データの本記録を行う。
【００３４】
また、ＯＰＣ制御部１１では、上記記録パワー、及び／又は記録ストラテジの最適化として、上記求めた決定係数値が予め多値データ記録媒体１２に記録された値以上になるようにすると共に、または、多値データ記録再生装置が多値データ記録媒体１２の種別を判別し、上記求めた決定係数が上記判別した種別に対応して予め保有している値以上になるようにすると共に、最も記録マークの大きさ、及び／又は深さが大きい多値レベルｍαの反射レベルと、最も記録マークの大きさ、及び／又は深さが小さい多値レベルｍ０との反射レベル差の絶対値を検出し、その絶対値が予め多値データ記録媒体１２に記録された値以上になるように記録パワー、及び／又は記録ストラテジを最適化、あるいは、上記記録パワー、及び／又は記録ストラテジの最適化として、上記求めた決定係数値が予め多値データ記録媒体１２に記録された値以上になるようにすると共に、または、多値データ記録再生装置が多値データ記録媒体１２の種別を判別し、上記求めた決定係数が上記判別した種別に対応して予め保有している値以上になるようにすると共に、多値データ記録再生装置が多値データ記録媒体１２の種別を判別し、最も記録マークの大きさ、及び／又は深さが大きい多値レベルｍαの反射レベルと、最も記録マークの大きさ、及び／又は深さが小さい多値レベルｍ０との反射レベル差の絶対値が、その判別した種別に対応して予め多値データ記録再生装置が保有している値以上になるように記録パワー、及び／又は記録ストラテジを最適するように、ＬＤ駆動信号生成器２を制御することが好ましい。
【００３５】
次に、多値データの多値レベルを８つにした場合の例を説明する。
図２は、多値データを多値レベルｍ８（ｉ＝０〜７）にした場合のテストパターンの再生信号の波形図である。
この波形は、記録単位（基本セル（「仮想セル」とも言う））が５個分の連続した多値レベルｍ０（ｉ＝０：レベル０）と、記録単位が３２個分の連続した多値レベルｍｉを記録するパターンを基本パターンとし、その基本パターンを全ての多値レベルｍｉ（ｉ＝０〜７）について記録するパターンをテストパターン（ＯＰＣパターン）とし、そのテストパターンを多値データ記録媒体１２に記録し、そのテストパターンが記録された部分を再生したときに得られる波形である。
このテストパターンは、明らかに符号間干渉が固定された状態であり、多値レベルｍ０（ｉ＝０：レベル０）〜多値レベルｍ７（ｉ＝７：レベル７）は一定の反射レベルを示している。この反射レベルに基づいて、各多値レベルを形成時の記録パワー、及び／又は記録ストラテジが適正であるか否かを容易に判断することができる。
【００３６】
この実施例では、テストパターンとして、記録単位が５個分の連続した多値レベルｍ０（レベル０）と、記録単位が３２個分の連続した多値レベルｍｉを記録するパターンを基本パターンとし、その基本パターンを全ての多値レベルｍｉ（ｉ＝０〜７）について記録するパターンをテストパターンとして選択したが、多値レベルｍｉの反射レベルが正確に判断できるようなテストパターンであれば、どのようなパターンを用いても構わない。
その多値レベルｍｉの反射レベルが正確に判断できるようなテストパターンとは、連続する複数回のサンプリングにおいても、同一の多値レベルｍｉの反射レベルが得られる長さとなるように多値レベルｍｉが連続する複数の記録単位にわたるパターンを意味し（例えば、オシロスコープによる観察上、多値レベルｍｉが略直線状に観察できるようなテストパターン）、例えば、多値レベルｍｉを複数の連続する記録単位にわたって繰り返し記録し、その（繰り返し数）×（記録単位の長さ）が、再生光の直径以上となるようなテストパターンが好ましい。
【００３７】
上記テストパターンでは、多値レベルｍｉが変る毎に多値レベルｍ０が挿入されるようなパターンとしたが、このｍ０の挿入は必須ではない。
但し、ｍ０を挿入することによって、多値レベルｍｉの切り替わりが明確になり、サンプリングのタイミングが正確になるというメリットや、多値レベルｍｉの切り替わり時に発生する符合間干渉を抑制でき、多値レベルｍｉの均一性がより高められるというメリットがある。
このように多値データ記録媒体１２にテストパターンを記録するが、そのテストパターンが記録される場所は、多値データ記録媒体１２の記録領域外のテスト記録領域であってもよいし、記録領域内にテスト記録領域を設けて記録してもよい。あるいは、実記録データ中に、テストパターン部（ＯＰＣパターン部）を挿入して記録を行ってもよい。
【００３８】
次に、この多値データ記録再生装置における上記のようなテストパターンが記録された多値データ記録媒体１２からそのテストパターン部を検出し、最適な記録パワー、及び／又は記録ストラテジを決定する処理について説明する。
図３は、図１に示す多値データ記録再生装置におけるＯＰＣ処理を示すフローチャート図である。
このＯＰＣ処理は、ＯＰＣ制御部１１が、ステップ（図中「Ｓ」で示す）１で上述のようにしてこの実施例の条件を満たすテストパターンを多値データ記録媒体１２の所定の場所（記録領域内）に記録する。
【００３９】
次いで、ステップ２で多値データ記録媒体からテストパターンを再生し、ステップ３で上記テストパターンが記録された多値データ記録媒体から、そのテストパターン部を任意のサンプリングタイムで検出し、各多値レベルｍｉ（ｉ＝０〜７）の反射レベルを検出する。その各多値レベルｍｉの反射レベルの正確性を高めるために、各多値レベルｍｉについて複数回サンプリングすることが好ましい。
次に、ステップ４で各多値レベルｍｉとその反射レベルの関係を線形近似して一次近似式（反射レベル）＝α×ｍｉ＋βを求める。
例えば、図４に示すテストパターンの再生によって得られた各多値レベルの反射レベルの値（図中破線枠で囲んだ値を含む各値）に基づいて多値レベルｍｉと反射レベルの関係を線形近似した結果、次の数１の一次近似式が求められる。
【００４０】
（数１）（反射レベル）＝−０．１０２３×（多値レベルｍｉ）＋０．７５６１
この一次近似式を求めた後で、ステップ５で上記一次近似式の決定係数値（Ｒ２乗値）を計算して求め、ステップ６で上記決定係数値が予め設定された判断基準値以上か否かに基づいて、テスト記録を行った際の記録パワー、及び／又は記録ストラテジの適正を判断する。決定係数値を用いて、テスト記録を行った際の記録パワー、及び／又は記録ストラテジの適正を判断する際は、上記計算で求められた決定係数値が、判断基準値以上か、あるいは判断基準値未満かで判断すればよい。
この決定係数値は、多値データ記録媒体１２に予め記録すると良い。また、決定係数値の判断基準値は任意の値で構わないが、０．９５以上とするのが好ましい。決定係数値が０．９５以上の値ならば、多値データを記録するときの記録パワー及び／又は記録ストラテジを精度良く最適化することができる。
なお、より精度の高い記録を実現するには（低ジッタ，低エラーレートの記録）、決定係数を０．９９５以上とするのが好ましい。
【００４１】
図４に示す各多値レベルの反射ベルの場合、その求めた一次近似式と実データ（反射レベル）の決定係数値は０．９８１１となり、例えば決定係数値の判断基準値０．９９５よりも小さい値であるため、ステップ６の判断において決定係数値≧判断基準値ではないと判断し、テスト記録を行った際の記録パワー、及び／又は記録ストラテジは不適と判断される。
図４に示す各多値レベルの反射ベルの場合、数１の一次近似式からズレを生じている多値レベルはｍ１（レベル１），ｍ３（レベル３），ｍ５（レベル５）であることがわかるため、ステップ７でそれらの多値レベルの形成に割り当てた記録パワー、及び／又は記録ストラテジを調整（補正）する。
【００４２】
次いで、ステップ１へ戻って上記調整されたテスト記録条件（記録パワー、及び／又は記録ストラテジ）を用いて、再度テストパターンを多値データ記録媒体の所定の場所に記録し、再度上述したステップ２〜６の適性判断プロセスを行い、所定の決定係数値が得られるまで、すなわち決定係数値が判断基準値以上になるまで繰り返す。
このようにして、上記求めた決定係数値が予め多値データ記録媒体に記録された値以上になるように記録パワー、及び／又は記録ストラテジを最適化する。
例えば、図４に示す各多値レベルの反射ベルの結果から、多値レベルはｍ１（レベル１），ｍ３（レベル３），ｍ５（レベル５）の形成時に割り当てた記録パワー，及び／又は記録ストラテジを調整し、図５に示すような結果が得られた場合、図５に示すテストパターンの再生によって得られた各多値レベルの反射レベルの値（図中破線枠で囲んだ値を含む各値）に基づいて多値レベルｍｉと反射レベルの関係を線形近似した結果、次の数２の一次近似式が求められる。
【００４３】
（数２）（反射レベル）＝−０．１０２９×（多値レベルｍｉ）＋０．７７５１
この一次近似式を求めた後で、ステップ５で上記一次近似式の決定係数値（Ｒ２乗値）を計算して求め、数２の一次近似式の決定係数値（Ｒ２乗値）は０．９９９３となり、ステップ６の判断でその決定係数値０．９９９３は判断基準値０．９９５以上であるから、このＯＰＣ処理を終了し、決定係数値０．９９９３が得られたときのテスト記録を行った際の記録パワー、及び／又は記録ストラテジを適正と判断し、その条件（記録パワー、及び／又は記録ストラテジ）を用いて多値データの本記録（実記録）を行う。
【００４４】
なお、上記決定係数値の判断基準値は、次のイ，ロ，ハのいずれかの値を読み取って使用すると良い。
（イ）予め多値データ記録再生装置が保有する値（デフォルト値）、例えばメモリに保持している値
（ロ）多値データ記録媒体１２に予め記録された判断基準値
（ハ）多値データ記録再生装置が多値データ記録媒体１２の種別（ロット，メーカー等）を判断し、多値データ記録再生装置に予め記録された各多値データ記録媒体用の判断基準値
【００４５】
また、上述のＯＰＣ処理よりも信頼性の高い記録を実現するために、上記決定係数値が所定の値以上になるととともに、最も記録マークの大きさ、及び／又は深さが大きい多値レベルｍαの反射レベルと、最も記録マークの大きさ、及び／又は深さが小さい多値レベルｍ０との反射レベル差の絶対値が、次の（ニ）あるいは（ホ）の値以上になるような記録パワー、及び／又は記録ストラテジに最適化することが好ましい。
（ニ）予め多値光記録媒体に記録された値以上
（ホ）記録再生装置が多値光記録媒体の種別を判別し、その種別に対応した予め記録再生装置が保有する値以上
【００４６】
次に、最も記録マークの大きさ、及び／又は深さが大きい多値レベルｍαの反射レベルと、最も記録マークの大きさ、及び／又は深さが小さい多値レベルｍ０との反射レベル差の絶対値の判定は、任意のタイミングで行うことができ、例えばテストパターン記録で、まず始めにｍαとｍ０の反射レベル差の絶対値を求め、その絶対値が予め設定された判断基準値以上か否かを判断し、その判断で絶対値が予め設定された判断基準値以上の時のみ決定係数値の判定を行うようにすることもできる。
そこで、この多値データ記録再生装置における他のＯＰＣ処理について説明する。
【００４７】
図６は、図１に示す多値データ記録再生装置における他のＯＰＣ処理を示すフローチャート図である。
このＯＰＣ処理は、ＯＰＣ制御部１１が、ステップ（図中「Ｓ」で示す）１１で上述のようにしてこの実施例の条件を満たすテストパターンを多値データ記録媒体の所定の場所（記録領域内）に記録する。
次いで、ステップ１２で多値データ記録媒体からテストパターンを再生し、ステップ１３で多値レベルｍαの反射レベルと多値レベルｍ０の反射レベルとの差の絶対値を求め、その絶対値が予め設定された判断基準値以上か否かを判断し、判断基準値以上でなければ、ステップ１８でテストパターンの記録時に多値レベルの形成に割り当てた記録パワー、及び／又は記録ストラテジを調整（補正）し、ステップ１１へ戻って上記調整されたテスト記録条件（記録パワー、及び／又は記録ストラテジ）を用いて、再度テストパターンを多値データ記録媒体の所定の場所に記録し、ステップ１２，１３の処理を繰り返す。
【００４８】
ステップ１３で絶対値が予め設定された判断基準値以上と判断したら、ステップ１４で上記テストパターンが記録された多値データ記録媒体から、そのテストパターン部を任意のサンプリングタイムで検出し、各多値レベルｍｉ（ｉ＝０〜７）の反射レベルを検出する。その各多値レベルｍｉの反射レベルの正確性を高めるために、各多値レベルｍｉについて複数回サンプリングすることが好ましい。
次に、ステップ１５で各多値レベルｍｉとその反射レベルの関係を線形近似して一次近似式（反射レベル）＝α×ｍｉ＋βを求める。
例えば、図４に示すテストパターンの再生によって得られた各多値レベルの反射レベルの値（図中破線枠で囲んだ値を含む各値）に基づいて多値レベルｍｉと反射レベルの関係を線形近似した結果、次の数１の一次近似式が求められる。
【００４９】
（数１）（反射レベル）＝−０．１０２３×（多値レベルｍｉ）＋０．７５６１
この一次近似式を求めた後で、ステップ１６で上記一次近似式の決定係数値（Ｒ２乗値）を計算して求め、ステップ１７で上記決定係数値が予め設定された判断基準値以上か否かに基づいて、テスト記録を行った際の記録パワー、及び／又は記録ストラテジの適正を判断する。決定係数値を用いて、テスト記録を行った際の記録パワー、及び／又は記録ストラテジの適正を判断する際は、上記計算で求められた決定係数値が、判断基準値以上か、あるいは判断基準値未満かで判断すればよい。
この決定係数値は、多値データ記録媒体１２に予め記録すると良い。また、決定係数値の判断基準値は任意の値で構わないが、０．９５以上とするのが好ましい。決定係数値が０．９５以上の値ならば、多値データを記録するときの記録パワー及び／又は記録ストラテジを精度良く最適化することができる。
なお、より精度の高い記録を実現するには（低ジッタ，低エラーレートの記録）、決定係数を０．９９５以上とするのが好ましい。
【００５０】
図４に示す各多値レベルの反射ベルの場合、その求めた一次近似式と実データ（反射レベル）の決定係数値は０．９８１１となり、例えば決定係数値の判断基準値０．９９５よりも小さい値であるため、ステップ１７の判断において決定係数値≧判断基準値ではないと判断し、テスト記録を行った際の記録パワー、及び／又は記録ストラテジは不適と判断される。
図４に示す各多値レベルの反射ベルの場合、数１の一次近似式からズレを生じている多値レベルはｍ１（レベル１），ｍ３（レベル３），ｍ５（レベル５）であることがわかるため、ステップ１９でそれらの多値レベルの形成に割り当てた記録パワー、及び／又は記録ストラテジを調整（補正）する。
【００５１】
次いで、ステップ１１へ戻って上記調整されたテスト記録条件（記録パワー、及び／又は記録ストラテジ）を用いて、再度テストパターンを多値データ記録媒体の所定の場所に記録し、再度上述したステップ１２〜１７の適性判断プロセスを行い、所定の決定係数値が得られるまで、すなわち決定係数値が判断基準値以上になるまで繰り返す。
このようにして、上記求めた決定係数値が予め多値データ記録媒体に記録された値以上になるように記録パワー、及び／又は記録ストラテジを最適化する。
例えば、図４に示す各多値レベルの反射ベルの結果から、多値レベルはｍ１（レベル１），ｍ３（レベル３），ｍ５（レベル５）の形成時に割り当てた記録パワー，及び／又は記録ストラテジを調整し、図５に示すような結果が得られた場合、図５に示すテストパターンの再生によって得られた各多値レベルの反射レベルの値（図中破線枠で囲んだ値を含む各値）に基づいて多値レベルｍｉと反射レベルの関係を線形近似した結果、次の数２の一次近似式が求められる。
【００５２】
（数２）（反射レベル）＝−０．１０２９×（多値レベルｍｉ）＋０．７７５１
この一次近似式を求めた後で、ステップ１６で上記一次近似式の決定係数値（Ｒ２乗値）を計算して求め、数２の一次近似式の決定係数値（Ｒ２乗値）は０．９９９３となり、ステップ１７の判断でその決定係数値０．９９９３は判断基準値０．９９５以上であるから、このＯＰＣ処理を終了し、決定係数値０．９９９３が得られたときのテスト記録を行った際の記録パワー、及び／又は記録ストラテジを適正と判断し、このＯＰＣ処理を終了し、その条件（記録パワー、及び／又は記録ストラテジ）を用いて多値データの本記録（実記録）を行う。
【００５３】
次に、上記テストパターン記録で、まず始めにｍαとｍ０の反射レベル差の絶対値の判定を行い、その判定をクリアした時のみ決定係数値の判定を行い、この決定係数値判定をクリアした後も再度ｍαとｍ０の反射レベル差の絶対値の判定を行うようにしてもよい。
そこで、この多値データ記録再生装置におけるさらに他のＯＰＣ処理について説明する。
図７は、図１に示す多値データ記録再生装置におけるさらに他のＯＰＣ処理を示すフローチャート図である。
【００５４】
このＯＰＣ処理は、ＯＰＣ制御部１１が、ステップ（図中「Ｓ」で示す）２１で上述のようにしてこの実施例の条件を満たすテストパターンを多値データ記録媒体の所定の場所（記録領域内）に記録する。
次いで、ステップ２２で多値データ記録媒体からテストパターンを再生し、ステップ２３で多値レベルｍαの反射レベルと多値レベルｍ０の反射レベルとの差の絶対値を求め、その絶対値が予め設定された判断基準値以上か否かを判断し、判断基準値以上でなければ、ステップ２９でテストパターンの記録時に多値レベルの形成に割り当てた記録パワー、及び／又は記録ストラテジを調整（補正）し、ステップ２１へ戻って上記調整されたテスト記録条件（記録パワー、及び／又は記録ストラテジ）を用いて、再度テストパターンを多値データ記録媒体の所定の場所に記録し、ステップ２１，２３の処理を繰り返す。
【００５５】
ステップ２３で絶対値が予め設定された判断基準値以上と判断したら、ステップ２４で上記テストパターンが記録された多値データ記録媒体から、そのテストパターン部を任意のサンプリングタイムで検出し、各多値レベルｍｉ（ｉ＝０〜７）の反射レベルを検出する。その各多値レベルｍｉの反射レベルの正確性を高めるために、各多値レベルｍｉについて複数回サンプリングすることが好ましい。
次に、ステップ２５で各多値レベルｍｉとその反射レベルの関係を線形近似して一次近似式（反射レベル）＝α×ｍｉ＋βを求める。
例えば、図４に示すテストパターンの再生によって得られた各多値レベルの反射レベルの値（図中破線枠で囲んだ値を含む各値）に基づいて多値レベルｍｉと反射レベルの関係を線形近似した結果、次の数１の一次近似式が求められる。
【００５６】
（数１）（反射レベル）＝−０．１０２３×（多値レベルｍｉ）＋０．７５６１
この一次近似式を求めた後で、ステップ２６で上記一次近似式の決定係数値（Ｒ２乗値）を計算して求め、ステップ２７で上記決定係数値が予め設定された判断基準値以上か否かに基づいて、テスト記録を行った際の記録パワー、及び／又は記録ストラテジの適正を判断する。決定係数値を用いて、テスト記録を行った際の記録パワー、及び／又は記録ストラテジの適正を判断する際は、上記計算で求められた決定係数値が、判断基準値以上か、あるいは判断基準値未満かで判断すればよい。
この決定係数値は、多値データ記録媒体１２に予め記録すると良い。また、決定係数値の判断基準値は任意の値で構わないが、０．９５以上とするのが好ましい。決定係数値が０．９５以上の値ならば、多値データを記録するときの記録パワー及び／又は記録ストラテジを精度良く最適化することができる。
なお、より精度の高い記録を実現するには（低ジッタ，低エラーレートの記録）、決定係数を０．９９５以上とするのが好ましい。
【００５７】
図４に示す各多値レベルの反射ベルの場合、その求めた一次近似式と実データ（反射レベル）の決定係数値は０．９８１１となり、例えば決定係数値の判断基準値０．９９５よりも小さい値であるため、ステップ２７の判断において決定係数値≧判断基準値ではないと判断し、テスト記録を行った際の記録パワー、及び／又は記録ストラテジは不適と判断される。
図４に示す各多値レベルの反射ベルの場合、数１の一次近似式からズレを生じている多値レベルはｍ１（レベル１），ｍ３（レベル３），ｍ５（レベル５）であることがわかるため、ステップ３０でそれらの多値レベルの形成に割り当てた記録パワー、及び／又は記録ストラテジを調整（補正）する。
【００５８】
次いで、ステップ２１へ戻って上記調整されたテスト記録条件（記録パワー、及び／又は記録ストラテジ）を用いて、再度テストパターンを多値データ記録媒体の所定の場所に記録し、再度上述したステップ２２〜２７の適性判断プロセスを行い、所定の決定係数値が得られるまで、すなわち決定係数値が判断基準値以上になるまで繰り返す。
このようにして、上記求めた決定係数値が予め多値データ記録媒体に記録された値以上になるように記録パワー、及び／又は記録ストラテジを最適化する。
例えば、図４に示す各多値レベルの反射ベルの結果から、多値レベルはｍ１（レベル１），ｍ３（レベル３），ｍ５（レベル５）の形成時に割り当てた記録パワー，及び／又は記録ストラテジを調整し、図５に示すような結果が得られた場合、図５に示すテストパターンの再生によって得られた各多値レベルの反射レベルの値（図中破線枠で囲んだ値を含む各値）に基づいて多値レベルｍｉと反射レベルの関係を線形近似した結果、次の数２の一次近似式が求められる。
【００５９】
（数２）（反射レベル）＝−０．１０２９×（多値レベルｍｉ）＋０．７７５１
この一次近似式を求めた後で、ステップ２６で上記一次近似式の決定係数値（Ｒ２乗値）を計算して求め、数２の一次近似式の決定係数値（Ｒ２乗値）は０．９９９３となり、ステップ２７の判断でその決定係数値０．９９９３は判断基準値０．９９５以上であるから、このＯＰＣ処理を終了し、決定係数値０．９９９３が得られたときのテスト記録を行った際の記録パワー、及び／又は記録ストラテジを適正と判断し、ステップ２８で再度多値レベルｍαの反射レベルと多値レベルｍ０の反射レベルとの差の絶対値を求め、その絶対値が予め設定された判断基準値以上か否かを判断し、判断基準値以上でなければ、ステップ３１でテストパターンの記録時に多値レベルの形成に割り当てた記録パワー、及び／又は記録ストラテジを調整（補正）し、ステップ２１へ戻って上記調整されたテスト記録条件（記録パワー、及び／又は記録ストラテジ）を用いて、再度テストパターンを多値データ記録媒体の所定の場所に記録し、上述の処理を繰り返す。
【００６０】
ステップ２８で絶対値が予め設定された判断基準値以上と判断したら、このＯＰＣ処理を終了して、その条件（記録パワー、及び／又は記録ストラテジ）を用いて多値データの本記録（実記録）を行う。
なお、この実施例では、多値レベルｍｉと反射レベルの線形性を判定するために、決定係数値を用いたが、相関係数等で代用しても構わない。
【００６１】
また、上記決定係数値の判断基準値は任意の値で構わないが、０．９９５以上とするのが好ましい。
決定係数値が０．９９５以上の値ならば、多値データを記録するときの記録パワー及び／又は記録ストラテジを精度良く最適化することができる。
なお、より精度の高い記録を実現するには（低ジッタ，低エラーレートの記録）、決定係数を０．９９８以上とするのが好ましい。
【００６２】
図１２は、図１に示す多値データ記録再生装置における他のＯＰＣ処理を示すフローチャート図である。
このＯＰＣ処理は、ＯＰＣ制御部１１が、ステップ（図中「Ｓ」で示す）４１で上述のようにしてこの実施例の条件を満たすテストパターンを多値データ記録媒体１２の所定の場所（記録領域内）に記録する。
次いで、ステップ４２で多値データ記録媒体からテストパターンを再生し、ステップ４３で上記テストパターンが記録された多値データ記録媒体から、段階的に記録パワー又は記録ストラテジが変えられた各記録ブロック毎に、各多値レベルｍｉ（ｉ＝０〜７）の反射レベルの平均値を検出する。
【００６３】
次に、ステップ４４で各記録ブロック毎に、各多値レベルｍｉとその反射レベルの平均値の関係を線形近似して一次近似式（多値レベルｍｉの反射レベル）＝α×ｍｉ＋βを求める。
その一次近似式を求めた後で、ステップ４５で上記一次近似式の決定係数値（Ｒ２乗値）を計算して求める。
その決定係数値を求める作業を、段階的に記録パワー又は記録ストラテジが変えられた全ての記録ブロックについて行う。
ステップ４６では、決定係数値が極大になる記録パワー又は記録ストラテジを求める。
【００６４】
図１３〜図２０には、多値データを多値レベル数８（ｍｉにおけるｉ＝０〜７）にした場合、図２に示したテストパターンを、記録パワーを段階的に変化させて（８．０ｍＷ〜９．４ｍＷの範囲で０．２ｍＷの刻み幅で変化させた）記録した場合の、各記録ブロック毎の、多値レベルｍｉとその反射率レベルの平均値の関係の一次近似式と決定係数値とを示した図である。
なお、図１３は記録パワーが８．０ｍＷの記録ブロック、図１４は記録パワーが８．２ｍＷの記録ブロック、図１５は記録パワーが８．４ｍＷの記録ブロック、図１６は記録パワーが８．６ｍＷの記録ブロック、図１７は記録パワーが８．８ｍＷの記録ブロック、図１８は記録パワーが９．０ｍＷの記録ブロック、図１９は記録パワーが９．２ｍＷの記録ブロック、図２０は記録パワーが９．４ｍＷの記録ブロックに関する図である。
【００６５】
図２１は、それらの結果に基づいて記録パワーと決定係数値との関係を示す図である。
図２１において、決定係数値は、記録パワーが８．６ｍＷの時に極大値になるため、８．６ｍＷを本記録時の最適記録パワーとして設定することができる。
また、記録パワーと決定係数値の関係の近似式を求め、その近似式に基づいて本記録時の最適記録パワーを設定することができる。
その記録パワーと決定係数値との関係の近似式から最適記録パワーを求める方法では、８．７ｍＷを本記録時の最適記録パワーとして設定する。
記録パワーや記録光のパルス長の刻み幅が大きい場合は、記録パワーと決定係数の関係の近似式から最適記録パワーを求める方法が適している。
【００６６】
また、決定係数値のバラツキが大きいような場合も、記録パワーと決定係数値の関係の近似式から最適記録パワーを求める方法が適している。
なお、図１２のステップ４６において、図２１に示すように、決定係数値に極大値が現れない場合は、記録ストラテジ又は記録パワーを段階的に変化させる範囲を変えて再度テスト記録を行うことが好ましい。
ここで、決定係数値が極大値になる記録パワー又は記録ストラテジを選択した場合に、最良の記録が行われることを証明する。
【００６７】
図２１には、記録パワーに対する決定係数値の関係と共に多値記録の記録品質を示すＳＤＲ値を示している。
ＳＤＲとは二値記録でのジッタに相当する指標であり、ｉ種類（０〜α）からなる多値レベルｍｉの各再生信号レベルをＲｉ（０〜α）、多値レベルｍｉの再生信号レベルの標準偏差をσｍｉとすると、ＳＤＲ＝（σｍ０＋σｍ１＋・・・＋σｍα−１＋σｍα）／（（１＋α）・｜Ｒ０−Ｒα｜）で与えられる値である。
図２１に示すように、明らかに決定係数値が極大値になる記録パワーにおいて、ＳＤＲ値が最も小さくなっており、良好な多値記録が実現できていることがわかり、この実施例ののＯＰＣ方法の信頼性が高いことを証明するものである。
【００６８】
また、上述のＯＰＣ処理の信頼性を高めるために、本記録用と判断された記録パワー又は記録ストラテジで記録した場合、最も記録マークの大きさ及び／又は深さが大きい多値レベルｍαの反射レベルと、最も記録マークの大きさ及び／又は深さが小さい多値レベルｍ０との反射レベル差の絶対値が、次の（ニ）あるいは（ホ）の値以上であるか否かを判断するようにすることも好ましい（図２２のフローチャート図参照）。
（ニ）予め多値光記録媒体に記録された値以上
（ホ）記録再生装置が多値光記録媒体の種別を判別し、その判別した種別に対応した予め記録再生装置が保有する値以上
【００６９】
具体的な処理は、図２２に示すように、ステップ５１〜５６までの処理はそれぞれ、図１２のフローチャート図に示すステップ４１〜４６と同様であり、ステップ５７において、最も記録マークの大きさ及び／又は深さが大きい多値レベルｍαの反射レベルと、最も記録マークの大きさ及び／又は深さが小さい多値レベルｍ０との反射レベル差の絶対値を検出（あるいは推定）し、ステップ５８でその検出した絶対値が判断基準値以上か否かを判断して評価する。
ステップ５８では、上記（ニ）や（ホ）の判断基準値で、最も記録マークの大きさ及び／又は深さが大きい多値レベルｍαの反射レベルと、最も記録マークの大きさ及び／又は深さが小さい多値レベルｍ０との反射レベル差の絶対値を判定する。
【００７０】
ステップ５８の判断で絶対値が判断基準値以上ならば、すなわち、その最も記録マークの大きさ及び／又は深さが大きい多値レベルｍαの反射レベルと、最も記録マークの大きさ及び／又は深さが小さい多値レベルｍ０との反射レベルとの差の絶対値が判断基準値以上の場合（あるいは判断基準値以上と推測される場合）は、そのまま本記録を実行する。
一方、ステップ５８の判断で絶対値が判断基準値以上でなければ、すなわち、最も記録マークの大きさ及び／又は深さが大きい多値レベルｍαの反射レベルと、最も記録マークの大きさ及び／又は深さが小さい多値レベルｍ０との反射レベルとの差の絶対値が判断基準値よりも小さい場合（あるいは小さいと推測される場合）は、ステップ５９で記録ストラテジを変えるか、記録パワーを変化させる範囲を変えるか、又は記録光のパルス長を調整して、ステップ５１へ戻り、上述のテスト記録を再度行う。
【００７１】
さらに、上述のＯＰＣ処理の信頼性を高めるために、本記録用と判断された記録パワー又は記録光のパルス長を用いた場合の決定係数値が０．９９５以上であるか否かを判断するようにすることも好ましい。
具体的な処理は、図２３に示すように、ステップ６１〜６６までの処理はそれぞれ、図１２のフローチャート図に示すステップ４１〜４６と同様であり、ステップ６７において決定計数値が判断基準値以上か否かを判断することにより、ステップ６６で決定された決定係数値を評価する。
ステップ６７の判断で決定計数値が判断基準値である０．９９５以上の場合（あるいは判断基準値０．９９５以上であると推測される場合）は、そのまま本記録を実行する。
【００７２】
一方、ステップ６７の判断で決定計数値が判断基準値である０．９９５よりも小さい場合（あるいは判断基準値０．９９５よりも小さいと推測される場合）は、記録ストラテジを変えるか、記録パワーを変化させる範囲を変えるか、又は記録光のパルス長を調整し、ステップ６１へ戻って上述のテスト記録を再度行う。
この実施例では、上記決定係数値の判断基準値を、経験的に０．９９５の値にした場合について説明したが、その値に限定されるものではなく、判断基準値は任意に設定することが可能である。
なお、この実施例では、多値レベルｍｉと反射レベルの線形性を判定するために、決定係数値を用いたが、相関係数値を含む他の値で代用しても構わない。
【産業上の利用可能性】
【００７３】
この発明による多値データ記録再生方法と多値データ記録再生装置は、多値データ記録再生装置を内蔵又は接続したデスクトップパソコン，ノートブックパソコン等のパーソナルコンピュータにおいても適用することができる。
【図面の簡単な説明】
【００７４】
【図１】この発明の実施例の多値データ記録再生装置の構成を示すブロック図である。
【図２】多値データを多値レベルｍ８（ｉ＝０〜７）にした場合のテストパターンの再生信号の波形図である。
【図３】図１に示す多値データ記録再生装置におけるＯＰＣ処理を示すフローチャート図である。
【図４】テストパターンから一次近似式を求める処理の説明に供する図である。
【図５】補正したテストパターンから一次近似式を求める処理の説明に供する図である。
【００７５】
【図６】図１に示す多値データ記録再生装置における他のＯＰＣ処理を示すフローチャート図である。
【図７】図１に示す多値データ記録再生装置におけるさらに他のＯＰＣ処理を示すフローチャート図である。
【図８】従来のスライス方式によるデータ復号の処理の説明に供する波形図である。
【図９】多値データ記録における記録マークの概念図である。
【図１０】従来の各種記録パワーで記録されたテスト用信号を再生してアシンメトリと最適記録パワーを求めるための回路構成を示すブロック図である。
【００７６】
【図１１】ＨＦ信号のトップピークＡｔとボトムピークＡｂの一例を示す波形図である。
【図１２】図１に示す多値データ記録再生装置における他のＯＰＣ処理を示すフローチャート図である。
【図１３】多値データを多値レベル数８にした場合にテストパターンの記録パワーを８．０ｍＷにして記録した場合の各記録ブロック毎の多値レベルｍｉとその反射率レベルの平均値の関係の一次近似式と決定係数値とを示した図である。
【図１４】多値データを多値レベル数８にした場合にテストパターンの記録パワーを８．２ｍＷにして記録した場合の各記録ブロック毎の多値レベルｍｉとその反射率レベルの平均値の関係の一次近似式と決定係数値とを示した図である。
【図１５】多値データを多値レベル数８にした場合にテストパターンの記録パワーを８．４ｍＷにして記録した場合の各記録ブロック毎の多値レベルｍｉとその反射率レベルの平均値の関係の一次近似式と決定係数値とを示した図である。
【００７７】
【図１６】多値データを多値レベル数８にした場合にテストパターンの記録パワーを８．６ｍＷにして記録した場合の各記録ブロック毎の多値レベルｍｉとその反射率レベルの平均値の関係の一次近似式と決定係数値とを示した図である。
【図１７】多値データを多値レベル数８にした場合にテストパターンの記録パワーを８．８ｍＷにして記録した場合の各記録ブロック毎の多値レベルｍｉとその反射率レベルの平均値の関係の一次近似式と決定係数値とを示した図である。
【図１８】多値データを多値レベル数８にした場合にテストパターンの記録パワーを９．０ｍＷにして記録した場合の各記録ブロック毎の多値レベルｍｉとその反射率レベルの平均値の関係の一次近似式と決定係数値とを示した図である。
【図１９】多値データを多値レベル数８にした場合にテストパターンの記録パワーを９．２ｍＷにして記録した場合の各記録ブロック毎の多値レベルｍｉとその反射率レベルの平均値の関係の一次近似式と決定係数値とを示した図である。
【図２０】多値データを多値レベル数８にした場合にテストパターンの記録パワーを９．４ｍＷにして記録した場合の各記録ブロック毎の多値レベルｍｉとその反射率レベルの平均値の関係の一次近似式と決定係数値とを示した図である。
【００７８】
【図２１】図１３〜図２０に示す結果に基づく記録パワーと決定係数値との関係を示す図である。
【図２２】図１に示す多値データ記録再生装置におけるまた他のＯＰＣ処理を示すフローチャート図である。
【図２３】図１に示す多値データ記録再生装置におけるさらに他のＯＰＣ処理を示すフローチャート図である。
【符号の説明】
【００７９】
１：ピックアップヘッド    ２：ＬＤ駆動信号生成器    ３：多値データ変換器    ４：情報データ生成器    ５：フォトディテクタ    ６：ＡＧＣ制御部    ７：同期信号部検出回路    ８：サンプリング信号生成回路    ９：量子化ＡＤ変換器    １０：多値信号メモリ    １１：ＯＰＣ制御部    １２：多値データ記録媒体    ２０：ハイパスフィルタ    ２１：トップピーク検出回路    ２２：ボトムピーク検出回路    ２３：アシンメトリ演算回路    ２４：判定回路
【図１】
2005339765.tif 000003
【図２】
2005339765.tif 000004
【図３】
2005339765.tif 000005
【図４】
2005339765.tif 000006
【図５】
2005339765.tif 000007
【図６】
2005339765.tif 000008
【図７】
2005339765.tif 000009
【図８】
2005339765.tif 000010
【図９】
2005339765.tif 000011
【図１０】
2005339765.tif 000012
【図１１】
2005339765.tif 000013
【図１２】
2005339765.tif 000014
【図１３】
2005339765.tif 000015
【図１４】
2005339765.tif 000016
【図１５】
2005339765.tif 000017
【図１６】
2005339765.tif 000018
【図１７】
2005339765.tif 000019
【図１８】
2005339765.tif 000020
【図１９】
2005339765.tif 000021
【図２０】
2005339765.tif 000022
【図２１】
2005339765.tif 000023
【図２２】
2005339765.tif 000024
【図２３】
2005339765.tif 000025